(57)【要約】  空気清浄機（１００）は、制御部（１１０）を備える。制御部（１１０）は、室内に人が居るか否かを示す有人無人情報を取得する。制御部（１１０）は、ユーザーによって指示されたペットの種類と有人無人情報とに基づいて、運転制御を切り換える。制御部（１１０）は、室内に人が居ない場合、室内に人が居る場合に比べて風量を多くするように運転制御することが好ましい。
2020066495.tif 000002
【特許請求の範囲】
【請求項１】
室内に人が居るか否かを示す有人無人情報を取得する制御部を備え、
前記制御部は、ユーザーによって指示されたペットの種類と前記有人無人情報とに基づいて、運転制御を切り換える、空気清浄機。
【請求項２】
前記制御部は、前記室内に人が居ない場合、前記室内に人が居る場合に比べて風量を多くするように運転制御する、請求項１に記載の空気清浄機。
【請求項３】
前記制御部は、前記ペットの種類に応じて、風量を変更するように運転制御を変更する、請求項１または請求項２に記載の空気清浄機。
【請求項４】
前記制御部は、前記ペットの種類に応じて、湿度を変更するように運転制御を変更する、請求項１から請求項３のいずれか１項に記載の空気清浄機。
【請求項５】
前記制御部は、前記室内に人が居ない場合、前記室内に人が居る場合に比べて風向きが下側になるように運転制御する、請求項１から請求項４のいずれか１項に記載の空気清浄機。
【請求項６】
画像を表示する操作部をさらに備え、
前記室内に人が居ない場合、前記制御部は、前記操作部を消すように制御する、請求項１から請求項５のいずれか１項に記載の空気清浄機。
【発明の詳細な説明】
【技術分野】
【０００１】
本発明は、空気清浄機に関する。
【背景技術】
【０００２】
ホコリセンサーを備える空気清浄機が知られている（例えば、特許文献１）。ホコリセンサーは、空気中のホコリの量を検出する。特許文献１に記載の空気清浄機は、ホコリセンサーが検出したホコリの量に応じて、送風機の風量を変更している。
【先行技術文献】
【特許文献】
【０００３】
【特許文献１】特開２０１７−１２４３６３号公報
【発明の概要】
【発明が解決しようとする課題】
【０００４】
しかしながら、特許文献１に記載の空気清浄機では、ホコリの量に応じて、送風機の風量を変更するだけであり、ペットの種類および人の在室情報に対応した運転制御を行うことができない。【０００５】
本発明は上記課題に鑑みてなされたものであり、その目的はペットの種類および人の在室情報に対応した運転制御を行うことができる空気清浄機を提供することにある。
【課題を解決するための手段】
【０００６】
本発明に係る空気清浄機は、制御部を備える。前記制御部は、室内に人が居るか否かを示す有人無人情報を取得する。前記制御部は、ユーザーによって指示されたペットの種類と前記有人無人情報とに基づいて、運転制御を切り換える。
【発明の効果】
【０００７】
本発明に係る空気清浄機によれば、ペットの種類および人の在室情報に対応した運転制御を行うことができる。
【図面の簡単な説明】
【０００８】
【図１】本発明の実施形態１に係る空気清浄機を備える空気清浄システムのブロック図である。
【図２】本発明の実施形態１に係る空気清浄機の制御方法を示すフローチャートである。
【図３】第１運転モード、第２運転モード、第３運転モードおよび第４運転モードにおける制御部の運転制御を示す図である。
【図４】（ａ）および（ｂ）は、携帯端末を示す図である。
【図５】本発明の実施形態２に係る空気清浄機を備える空気清浄システムのブロック図である。
【図６】本発明の実施形態３に係る空気清浄機を備える空気清浄システムのブロック図である。
【発明を実施するための形態】
【０００９】
以下、本発明の実施形態について、図面を参照しながら説明する。なお、図中、同一または相当部分については同一の参照符号を付して説明を繰り返さない。
【００１０】
［実施形態１］
図１を参照して、本発明の実施形態１に係る空気清浄機１００について説明する。図１は、本発明の実施形態１に係る空気清浄機１００を備える空気清浄システム４００のブロック図である。
【００１１】
図１に示すように、空気清浄システム４００は、空気清浄機１００と、サーバー２００と、携帯端末３００とを備える。
【００１２】
空気清浄機１００は、制御部１１０と、記憶部１２０と、検出部１３０と、通信部１４０と、加湿部１５０と、イオン発生ユニット１６０と、操作部１７０と、ファン１８０と、フィルター１９０とを備える。
【００１３】
制御部１１０は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部１１０は、記憶部１２０に記憶された制御プログラムをプロセッサーが読み出して実行することによって、空気清浄機１００の各部の動作を制御する。制御部１１０は、有人無人情報を取得する。有人無人情報は、室内に人が居るか否かを示す情報である。例えば、制御部１１０は、人感センサー１３８の検出結果、または携帯端末３００のＧＰＳ機能による位置情報に基づいて、有人無人情報を取得する。
【００１４】
記憶部１２０は、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部１２０は、各種のデータ、および、空気清浄機１００の各部の動作を制御するための制御プログラムを記憶する。制御プログラムは、制御部１１０によって実行される。
【００１５】
検出部１３０は、環境情報を定期的に検出する。例えば、検出部１３０は、環境情報を１５分ごとに検出する。環境情報は、空気清浄機１００の周囲の環境の情報を示す。検出部１３０は複数の環境情報を検出する。環境情報は、例えば、照度情報、ニオイ情報、ホコリ情報および利用者の位置情報を含む。検出部１３０が検出した環境情報は、通信部１４０を介して、サーバー２００に送信される。サーバー２００は、記憶部２２０に環境情報を記憶する。すなわち、サーバー２００の記憶部２２０は、環境情報の履歴を記憶している。
【００１６】
検出部１３０は、照度センサー１３２と、ニオイセンサー１３４と、ホコリセンサー１３６と、人感センサー１３８とを含む。検出部１３０の感度は、制御部１１０によって制御される。検出部１３０の感度は、例えば、感度が高い順に、「高い」、「標準」および「低い」の３段階に制御することができる。
【００１７】
照度センサー１３２は、空気清浄機１００が設置される室内の照度を検出する。
【００１８】
ニオイセンサー１３４は、空気清浄機１００が設置される室内の臭気のレベルを検出する。ニオイセンサー１３４は、例えば、水晶振動式センサーまたは半導体式センサーである。
【００１９】
ホコリセンサー１３６は、空気清浄機１００が設置される室内のホコリの量を検出する。ホコリセンサー１３６は、２．５μｍ未満の微小なホコリおよび２．５μｍ以上の大きなホコリ（ＰＭ２．５）を区別して検出可能である。
【００２０】
人感センサー１３８は、空気清浄機１００が設置される室内に人が居るか居ないかを検出する。すなわち、人感センサー１３８は、有人無人情報を検出する。
【００２１】
通信部１４０は、同じ通信方式（プロトコル）を利用する通信機が搭載された電子機器との間で通信が可能である。本実施形態において、通信部１４０は、ＬＡＮ（Ｌｏｃａｌ  Ａｒｅａ  Ｎｅｔｗｏｒｋ）などのネットワーク網を介して、サーバー２００および携帯端末３００と通信する。通信部１４０は、例えば、ＬＡＮボードのような通信モジュール（通信機器）である。通信部１４０は、例えば、検出部１３０が検出した環境情報をサーバー２００に送信する。
【００２２】
加湿部１５０は、空気清浄機１００が設置されている室内を加湿する。加湿部１５０は、水タンク（不図示）を有する。加湿部１５０は、水タンクに収容された水を気化し、空気に水分を含ませて室内を加湿する。
【００２３】
イオン発生ユニット１６０は、イオンを発生して、室内の空気中に放出する。イオン発生ユニット１６０は、空気清浄機１００の本体に対して着脱自在である。
【００２４】
操作部１７０は、例えば、タッチパネルである。操作部１７０は、画像を表示する。詳しくは、操作部１７０は、空気清浄機１００の運転状態のような各種情報を表示する。また、操作部１７０は、ユーザーの操作を受け付ける。操作部１７０は、点灯と消灯とを切り換えることができる。
【００２５】
ファン１８０は、空気清浄機１００の設置された室内の空気を、空気清浄機１００内部に取り込み、フィルター１９０を通過させる。その結果、フィルター１９０は、空気中の塵を集塵する。フィルター１９０は、例えば、ＨＥＰＡ（Ｈｉｇｈ  Ｅｆｆｉｃｉｅｎｃｙ  Ｐａｒｔｉｃｕｌａｔｅ  Ａｉｒ）フィルターである。ファン１８０の風量は、制御部１１０によって制御される。
【００２６】
サーバー２００は、制御部２１０と、記憶部２２０と、通信部２３０とを備える。
【００２７】
制御部２１０は、ＣＰＵのようなプロセッサー、およびＡＳＩＣ等によって構成されるハードウェア回路である。制御部２１０は、記憶部２２０に記憶された制御プログラムをプロセッサーが読み出して実行することによって、サーバー２００の各部の動作を制御する。
【００２８】
記憶部２２０は、ＲＡＭ、およびＲＯＭによって構成される。記憶部２２０は、各種のデータ、および、サーバー２００の各部の動作を制御するための制御プログラムを記憶する。制御プログラムは、制御部２１０によって実行される。
【００２９】
通信部２３０は、同じ通信方式（プロトコル）を利用する通信機が搭載された電子機器との間で通信が可能である。本実施形態において、通信部２３０は、ＬＡＮなどのネットワーク網を介して、空気清浄機１００と通信する。通信部２３０は、例えば、ＬＡＮボードのような通信モジュール（通信機器）である。
【００３０】
携帯端末３００は、制御部３１０と、記憶部３２０と、通信部３３０とを備える。携帯端末３００は、例えば、スマートフォンである。携帯端末３００は、ＧＰＳ機能を有している。
【００３１】
制御部３１０は、ＣＰＵのようなプロセッサー、およびＡＳＩＣ等によって構成されるハードウェア回路である。制御部３１０は、記憶部３２０に記憶された制御プログラムをプロセッサーが読み出して実行することによって、携帯端末３００の各部の動作を制御する。
【００３２】
記憶部３２０は、ＲＡＭ、およびＲＯＭによって構成される。記憶部３２０は、各種のデータ、および、携帯端末３００の各部の動作を制御するための制御プログラムを記憶する。制御プログラムは、制御部３１０によって実行される。
【００３３】
通信部３３０は、同じ通信方式（プロトコル）を利用する通信機が搭載された電子機器との間で通信が可能である。本実施形態において、通信部３３０は、ＬＡＮなどのネットワーク網を介して、空気清浄機１００と通信する。
【００３４】
空気清浄機１００は、４つの運転モードを有する。詳しくは、空気清浄機１００は、ペットの種類と、有人無人情報とに基づいて運転制御を切り換える。ペットの種類は、ユーザーによって指示される。例えば、操作部１７０または携帯端末３００をユーザーが操作することによって、ペットの種類が指示される。
【００３５】
図１および図２を参照して、本発明に係る空気清浄機１００の制御方法について説明する。図２は、本発明の実施形態１に係る空気清浄機１００の制御方法を示すフローチャートである。図２に示すステップＳ１０２〜ステップＳ１１６の処理が実行されることによって、運転モードが切り換えられる。
【００３６】
ステップＳ１０２：制御部１１０は、ペット運転モードであるか否かを判定する。ペット運転モードでないと制御部１１０が判定した場合（ステップＳ１０２：Ｎｏ）、処理は、ステップＳ１０２に戻る。ペット運転モードであると制御部１１０が判定した場合（ステップＳ１０２：Ｙｅｓ）、処理は、ステップＳ１０４に進む。
【００３７】
ステップＳ１０４：制御部１１０は、ペットの種類が何であるかを判定する。ペットの種類が猫であると、制御部１１０が判定した場合、（ステップＳ１０４：猫）、処理は、ステップＳ１１２に進む。ペットの種類が犬であると、制御部１１０が判定した場合、（ステップＳ１０４：犬）、処理は、ステップＳ１０６に進む。
【００３８】
ステップＳ１０６：制御部１１０は、室内に人が居るかを判定する。室内に人が居ないと制御部１１０が判定した場合（ステップＳ１０６：Ｎｏ）、処理は、ステップＳ１１０に進む。室内に人が居ると制御部１１０が判定した場合（ステップＳ１０６：Ｙｅｓ）、処理は、ステップＳ１０８に進む。
【００３９】
ステップＳ１０８：制御部１１０は、運転モードを第１運転モードに切り換える。第１運転モードは、人が在室であり、ペットの種類が犬である場合に適した運転モードである。処理は、終了する。
【００４０】
ステップＳ１１０：制御部１１０は、運転モードを第２運転モードに切り換える。第２運転モードは、人が留守であり、ペットの種類が犬である場合に適した運転モードである。処理は、終了する。
【００４１】
ステップＳ１１２：制御部１１０は、室内に人が居るかを判定する。室内に人が居ないと制御部１１０が判定した場合（ステップＳ１１２：Ｎｏ）、処理は、ステップＳ１１６に進む。室内に人が居ると制御部１１０が判定した場合（ステップＳ１１２：Ｙｅｓ）、処理は、ステップＳ１１４に進む。
【００４２】
ステップＳ１１４：制御部１１０は、運転モードを第３運転モードに切り換える。第３運転モードは、人が在室であり、ペットの種類が猫である場合に適した運転モードである。処理は、終了する。
【００４３】
ステップＳ１１６：制御部１１０は、運転モードを第４運転モードに切り換える。第４運転モードは、人が留守であり、ペットの種類が猫である場合に適した運転モードである。処理は、終了する。
【００４４】
図３を参照して、運転モードについてさらに説明する。図３は、第１運転モード、第２運転モード、第３運転モードおよび第４運転モードにおける制御部１１０の運転制御を示す図である。
【００４５】
図３に示すように、制御部１１０は、ペットの種類に応じて、湿度を変更するように運転制御を変更する。本実施形態では、第１運転モードおよび第２運転モードの場合、制御部１１０は、湿度が４０％〜６０％になるように加湿部１５０を制御する。すなわち、ペットの種類が犬である場合、制御部１１０は、湿度が４０％〜６０％になるように加湿部１５０を制御する。一方、第３運転モードおよび第４運転モードの場合、制御部１１０は、湿度が５０％〜６０％になるように加湿部１５０を制御する。すなわち、ペットの種類が猫である場合、制御部１１０は、湿度が５０％〜６０％になるように加湿部１５０を制御する。このように、ペットの種類が犬である場合に比べて、ペットの種類が猫である場合の方が、湿度が高くなるように、制御部１１０は加湿部１５０を制御する。犬と猫とでは最適な湿度帯が違うためである。
【００４６】
また、第１運転モードでは、風量が「強め」になるように、制御部１１０はファン１８０を制御する。第２運転モードでは、風量が「かなり強め」になるように、制御部１１０はファン１８０を制御する。すなわち、制御部１１０は、室内に人が居ない場合、室内に人が居る場合に比べて風量を多くするように運転制御する。
【００４７】
第３運転モードでは、風量が「普通」になるように、制御部１１０はファン１８０を制御する。第４運転モードでは、風量が「やや強め」になるように、制御部１１０はファン１８０を制御する。すなわち、制御部１１０は、室内に人が居ない場合、室内に人が居る場合に比べて風量を多くするように運転制御する。
【００４８】
このように、制御部１１０は、室内に人が居ない場合、室内に人が居る場合に比べて風量を多くするように運転制御する。したがって、人が留守中に空気清浄を強めの運転で制御することによって、人が室内に戻ってきたときに空気が清浄な状態にしておくことができる。また、人が在宅中に空気清浄を弱めの運転にすることによって、運転音を抑えることができる。
【００４９】
また、第１運転モードでは第３運転モードよりも、風量が強くなるように制御部１１０はファン１８０を制御する。また、第２運転モードでは第４運転モードよりも、風量が強くなるように制御部１１０はファン１８０を制御する。すなわち、ペットの種類が猫である場合に比べて、ペットの種類が犬である場合の方が、風量が強くなるように、制御部１１０はファン１８０を制御する。猫は犬よりも風に対して弱いためである。
【００５０】
また、第１運転モードおよび第３運転モードでは、風向きは通常位置になるように、制御部１１０は制御する。第２運転モードおよび第４運転モードでは、風向きが１番下側になるように、制御部１１０は制御する。このように、制御部１１０は、室内に人が居ない場合、室内に人が居る場合に比べて風向きが下側になるように運転制御する。
【００５１】
また、第１運転モードおよび第３運転モードでは、操作部１７０が点灯するように、制御部１１０は操作部１７０を制御する。すなわち、室内に人が居る場合、操作部１７０が点灯するように、制御部１１０は操作部１７０を制御する。一方、第２運転モードおよび第４運転モードでは、操作部１７０が消灯するように、操作部１７０を制御する。すなわち、室内に人が居ない場合、操作部１７０が消灯するように、制御部１１０は操作部１７０を制御する。このように、室内に人が居ない場合、制御部１１０は、操作部１７０を消すように制御する。したがって、消費電力を抑制することができる。
【００５２】
図４（ａ）および図４（ｂ）を参照して、ペット運転モードの設定方法について説明する。図４（ａ）および図４（ｂ）は、携帯端末３００を示す図である。
【００５３】
図４（ａ）および図４（ｂ）に示すように、携帯端末３００は、表示部３４０をさらに備える。表示部３４０には、通常モード選択ボタン３４２、ペットモード選択ボタン３４４および決定ボタン３４６が表示される。ペットモード選択ボタン３４４には、ユーザーによって指示されたペットの種類に対応するペットモードが表示される。図４（ａ）では、ユーザーによって、ペットの種類に犬が指示されているため、ペットモード選択ボタン３４４には、「犬モード」が表示されている。図４（ｂ）では、ユーザーによってペットの種類に猫が指示されているため、ペットモード選択ボタン３４４には、「猫モード」が表示されている。ペットモード選択ボタン３４４を選択した後に、決定ボタン３４６が選択されることによって、ペット運転モードが設定される。
【００５４】
以上、図１〜図４を参照して説明したように、制御部１１０は、ユーザーによって指示されたペットの種類と有人無人情報とに基づいて、運転制御を切り換える。したがって、ペットの種類および人の在室情報に対応した運転制御を行うことができる。
【００５５】
また、制御部１１０は、室内に人が居ない場合、室内に人が居る場合に比べて風量を多くするように運転制御する。したがって、人が留守中に空気清浄を強めの運転で制御することによって、人が室内に戻ってきたときに空気が清浄な状態にしておくことができる。また、人が在宅中に空気清浄を弱めの運転にすることによって、運転音を抑えることができる。
【００５６】
また、制御部１１０は、ペットの種類に応じて、風量を変更するように運転制御を変更する。したがって、ペットの種類に対応した風量で運転制御を行うことができる。
【００５７】
また、制御部１１０は、ペットの種類に応じて、湿度を変更するように運転制御を変更する。したがって、ペットの種類に対応した湿度で運転制御を行うことができる。
【００５８】
また、室内に人が居ない場合、制御部１１０は、操作部１７０を消すように制御する。したがって、消費電力を抑制することができる。
【００５９】
［実施形態２］
図５を参照して、本発明の実施形態２に係る空気清浄機１００について説明する。図５は、本発明の実施形態２に係る空気清浄機１００を備える空気清浄システム４００のブロック図である。実施形態２に係る空気清浄システム４００は、サーバー２００を備えていない点を除いて、実施形態１に係る空気清浄システム４００と同様な構成を有するため、重複部分については説明を省略する。
【００６０】
図５に示すように、空気清浄システム４００は、空気清浄機１００と、携帯端末３００とを備える。
【００６１】
本実施形態では、サーバー２００を備えていない。環境情報の履歴は、空気清浄機１００の記憶部１２０に記憶されている。本実施形態でも、実施形態１と同様に、ペットの種類および人の在室情報に対応した運転制御を行うことができる。
【００６２】
［実施形態３］
図６を参照して、本発明の実施形態３に係る空気清浄機１００について説明する。図６は、本発明の実施形態３に係る空気清浄機１００を備える空気清浄システム４００のブロック図である。実施形態３に係る空気清浄機１００は、人感センサー１３８を備えていない点を除いて、実施形態１に係る空気清浄機１００と同様な構成を有するため、重複部分については説明を省略する。
【００６３】
図６に示すように、空気清浄システム４００は、空気清浄機１００と、サーバー２００と、携帯端末３００とを備える。
【００６４】
本実施形態では、空気清浄機１００は、人感センサー１３８を備えていない。本実施形態では、携帯端末３００のＧＰＳ機能によって、空気清浄機１００が設置している室内にユーザーが居るか居ないかを制御部１１０は判定する。詳しくは、携帯端末３００のＧＰＳ機能が示す携帯端末３００の位置情報に基づいて、空気清浄機１００と携帯端末３００との距離が所定の範囲内にあるか否かを制御部１１０が判定し、空気清浄機１００が設置している室内にユーザーが居るか居ないかを制御部１１０は判定する。本実施形態でも、実施形態１および実施形態２と同様に、ペットの種類および人の在室情報に対応した運転制御を行うことができる。
【００６５】
以上、図面（図１〜図６）を参照しながら本発明の実施形態を説明した。但し、本発明は、上記の実施形態に限られるものではなく、その要旨を逸脱しない範囲で種々の態様において実施することが可能である（例えば、下記に示す（１）〜（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００６６】
（１）図１〜図６を参照して説明したように、ペットの種類は犬と猫との２種類であったが、本発明はこれに限定されない。例えば、ペットの種類は３種類以上であってもよい。
【００６７】
（２）図１〜図６を参照して説明したように、制御部１１０は、犬と猫とで、運転制御を切り換えていたが、本発明はこれに限定されない。例えば、制御部１１０は、犬の種類によって運転制御を切り換えてもよい。
【符号の説明】
【００６８】
１００    空気清浄機
１１０    制御部
１７０    操作部
【図１】
2020066495.tif 000003
【図２】
2020066495.tif 000004
【図３】
2020066495.tif 000005
【図４】
2020066495.tif 000006
【図５】
2020066495.tif 000007
【図６】
2020066495.tif 000008
【国際調査報告】
2020066495.tif 000009
2020066495.tif 000010
2020066495.tif 000011
2020066495.tif 000012